(57)【要約】【課題】  「裾つぼまり」という和服の美しい輪郭を容易に作ることができる裾よけおよび和装肌着を提供する。【解決手段】  後身頃３１と、後身頃３１の左右に設けられた前身頃３２・３３と、後身頃３１および前身頃３２・３３の上端に取り付けられている締め紐２とを備える裾よけ１である。  この裾よけ１は、締め紐２と、前身頃の外側とを接続する接続部材３４と、接続部材３４との接続点から後身頃３１方向に下方に傾いた状態で、前身頃３２・３３に設けられるものであって、前身頃３２・３３の素材よりも伸縮性の弱い素材で形成される力伝達部材３２ｃ・３３ｃとを備える。【選択図】  図１
2016098457.tif 000002
【特許請求の範囲】
【請求項１】
後身頃と、その後身頃の左右に設けられた前身頃と、前記前身頃上部から前記前身頃の外側方向に伸びる締め紐とを備える裾よけにおいて、
前記締め紐と、前記前身頃とを接続する接続部材と、
前記接続部材との接続点から前記後身頃方向に下方に傾いた状態で、前記前身頃に設けられるものであって、前記前身頃の素材よりも伸縮性の弱い素材で形成される力伝達部材と、
を備えることを特徴とする裾よけ。
【請求項２】
前記前身頃を形成する布地は、前記力伝達部材の傾斜と平行な横糸と、前記力伝達部材の傾斜に対し垂直な縦糸とで構成されることを特徴とする請求項１記載の裾よけ。
【請求項３】
前記前身頃の下辺は、前記前身頃の外側方向から、前記前身頃の内側下方向に向けて傾斜していることを特徴とする請求項１または請求項２記載の裾よけ。
【請求項４】
裾の後面部と、その裾の後面部の左右に設けられた裾の前面部と、前記裾の前面部上部から前記裾の前面部の外側方向に伸びる締め紐と、前記締め紐を締める際に前記締め紐を和装肌着の内側から外側に通すための通孔と、
を備えるものであり、
前記締め紐と、前記裾の前面部とを接続する接続部材と、
前記接続部材との接続点から前記裾の後面部方向に下方に傾いた状態で、前記裾の前面部に設けられるものであって、前記裾の前面部の素材よりも伸縮性の弱い素材で形成される力伝達部材と、
を備えることを特徴とする和装肌着。
【発明の詳細な説明】
【技術分野】
【０００１】
本発明は、和服を着用する際に、下着として使用される裾よけおよび和装肌着に関し、特に「裾つぼまり」という和服の美しい輪郭を容易に作ることが出来る裾よけおよび和装肌着に関するものである。
【背景技術】
【０００２】
和服を着用する際は、まず裾よけ等の下着を着用した後に、和服を着用するが一般的である。裾よけを着用するのは汗染み等による和服の汚れを防止するためであり、冬には防寒対策のために裾よけを着用する場合もある。
【０００３】
図７（ａ）は、一般的な裾よけ６０の着用前の状態を表したものである（非特許文献１）。
裾よけ６０は、図７（ｂ）のように下半身に巻き付けるように着用するものであり、締め紐６１と裾布６２とからなる。
裾布６２は、裾よけ６０を下半身に巻き付けた際に、下半身の後側を覆う後身頃６３と、体の前面および側面を覆う前見頃６４とからなる。また、前見頃６４は、裾よけ６０を下半身に巻き付けた際に、体の内側に位置する内側前身頃６４ａと、体の外側に位置する外側前見頃６４ｂとからなる。
【０００４】
従来の裾よけ６０には大きく分けて２つの問題がある。
１つ目の問題は、「裾つぼまり」という和服の美しい輪郭を作ることが難しいという問題である。
裾よけ６０の締め紐６１を水平に身体に巻き付けて結ぶ場合、裾布６２は垂直に落ちるので、図７（ｂ）のように腰から足下にかけての輪郭が寸胴型となり、容姿が美しくならない。すなわち、和服を着用する際は、下半身の輪郭が腰部から足下に向かうにつれて細くなる「裾つぼまり」の状態になるのが美しいとされており、寸胴型では美しくないのである。
【０００５】
この裾よけ６０を着用する際、締め紐６１の結び方を工夫すれば「裾つぼまり」の状態にすることができる。以下、その方法を説明する。
まず、図８（ａ）のように、裾よけ６０を下半身に巻きながら、締め紐６１を横斜め上方向に引っ張る。これにより、内側前身頃６４ａおよび外側前身頃６４ｂは斜めに傾くので、図８（ａ）のように「裾つぼまり」の状態にすることができる。次に、図８（ｂ）のように、締め紐６１と裾布６２の上部を、下方向に折り返す。そして、図８（ｃ）のように、締め紐６１を後方から前方に回して、前方で締め紐６１を結ぶ。このようにすれば図８（ｃ）のように「裾つぼまり」の状態を作ることができ、和服の輪郭を美しくできる。
【０００６】
しかし、この着用方法は、締め紐６１を身体に水平に巻き付ける方法に比べて難しく、初心者は上手に「裾つぼまり」の状態を作ることができない。また、上手に「裾つぼまり」の状態を作ることができたとしても、締め紐６１と裾布６２の上部を下に折り返すので図８（ｃ）のように布余り６６が生じてしまう。布余り６６が生じることにより、腰部横側が外側に膨らみ、和服の輪郭を崩してしまう。また、この布余り６６は和服で内側に押さえつけられるので、着る人に異物感を感じさせ、着心地が悪くなるという問題があった。
【０００７】
２つ目の問題は、締め紐６１の問題である。締め紐６１は細い紐なので、これを強く結んでも下腹部全体を締め付けることができない。よって、下腹部の膨らみが和服の輪郭に反映されてしまい、美しい輪郭を作ることができないのである。
【０００８】
この２つ目の問題に対し、非特許文献２のような裾よけが提供されており、それが図９に示す裾よけ７０である。
図９の裾よけ７０と、非特許文献１の裾よけ６０とは、共通する構成要件が多いが、裾よけ７０の場合、晒し部７１を有する点で裾よけ６０とは異なる。
晒し部７１は、厚手の布を素材とする横長帯状の本体部７２と、本体部７２と締め紐６１とを連結する三角形の連結布７３とからなり、本体部７２は、裾よけ７０を着用した際に下腹部全体を覆う位置に設けられている。
【０００９】
この裾よけ７０の締め紐６１を水平方向に結べば、晒し部７１により下腹部は内側に押さえつけられ、図９（ｂ）のように下腹部の輪郭を美しくすることができる。すなわち、締め紐６１をきつく結べば、締め付ける力が連結布７３を介して本体部７２全体に伝わり、下腹部全体を締め付けることができるのである。
【先行技術文献】
【特許文献】
【００１０】
【非特許文献１】http://item.rakuten.co.jp/manten-t/10000399／有限会社たかはし  楽天ショップホームページ／平成２６年１０月５日検索
【非特許文献２】http://www.s-direct.co.jp/shop/g/g2014272700701／主婦の友ダイレクト  ホームページ／平成２６年１０月５日検索
【発明の概要】
【発明が解決しようとする課題】
【００１１】
このように、裾よけ７０を利用すれば、非特許文献１の裾よけ６０における、第２の問題は解決できる。
しかし、「裾つぼまり」の状態を作ることが難しいという第１の問題は依然として解決できない。裾よけ７０は、締め紐６１を締めると、晒し部７１で下腹部を身体の内側水平方向に押さえつける力が働くだけで、内側前身頃６４ａ全体および外側前身頃６４ｂ全体を斜めに傾ける力は働かないからである。すなわち、非特許文献１と同様、締め紐６１を斜め上に引き上げないと、内側前身頃６４ａ全体および外側前身頃６４ｂ全体を斜めに傾けることはできないのである。
【００１２】
なお、裾よけ７０の締め紐６１を水平方向に結んだ場合、図９（ａ）の矢印のように、内側前身頃６４ａの外側辺上部および外側前身頃６４ｂの外側辺上部を、斜め上方向に引っ張る力が若干加わるが、この程度の力では、内側前身頃６４ａ全体および外側前身頃６４ｂ全体を斜めに傾けて、「裾つぼまり」の状態にすることはできない。内側前身頃６４ａの外側辺上部および外側前身頃６４ｂの外側辺上部を外側から引き上げた程度では、その力は内側前身頃６４ａおよび外側前身頃６４ｂの伸縮により吸収され、内側前身頃６４ａ全体および外側前身頃６４ｂ全体を斜めに傾けることは到底できないからである。
【００１３】
本発明は、このような課題を解決するためものであり、「裾つぼまり」という和服の美しい輪郭を容易に作ることができる裾よけを提供するものである。
【課題を解決するための手段】
【００１４】
上記問題を解決するため、本発明では、後身頃と、その後身頃の左右に設けられた前身頃と、前記前身頃上部から前記前身頃の外側方向に伸びる締め紐とを備える裾よけにおいて、前記締め紐と、前記前身頃とを接続する接続部材と、前記接続部材との接続点から前記後身頃方向に下方に傾いた状態で、前記前身頃に設けられるものであって、前記前身頃の素材よりも伸縮性の弱い素材で形成される力伝達部材と、を備えることを特徴とする裾よけが提供される。
【００１５】
本発明の裾よけは、締め紐と前身頃とを接続する接続部材と、接続部材との接続点から後身頃方向に下方に傾いた状態で、前身頃に設けられるものであって、前身頃の素材よりも伸縮性の弱い素材で形成される力伝達部材を備える。
これにより、締め紐を水平に締めた際に、その力が、接続部材を経由して、前身頃の外側方向から内側下部方向にかけて伝わり、前身頃全体が足下に向かうにつれてすぼまる方向に傾く。
【００１６】
上記問題を解決するため、本発明では、裾の後面部と、その裾の後面部の左右に設けられた裾の前面部と、前記裾の前面部上部から前記裾の前面部の外側方向に伸びる締め紐と、前記締め紐を締める際に前記締め紐を和装肌着の内側から外側に通すための通孔と、を備えるものであり、前記締め紐と、前記裾の前面部とを接続する接続部材と、前記接続部材との接続点から前記裾の後面部方向に下方に傾いた状態で、前記裾の前面部に設けられるものであって、前記裾の前面部の素材よりも伸縮性の弱い素材で形成される力伝達部材と、を備えることを特徴とする和装肌着が提供される。
【００１７】
本発明の和装肌着は、締め紐と裾前面部とを接続する接続部材と、接続部材との接続点から前記裾構面部方向に下方に傾いた状態で、裾前面部に設けられるものであって、裾前面部の素材よりも伸縮性の弱い素材で形成される力伝達部材とを備える。
これにより、締め紐を水平に締めた際に、その力が、接続部材を経由して、裾の前面部の外側方向から内側下部方向にかけて伝わり、裾の前面部全体が足下に向かうにつれてすぼまる方向に傾く。
【発明の効果】
【００１８】
本発明の裾よけは、締め紐を水平に締めた際に、その力が、接続部材を経由して、裾前面部の外側方向から内側下部方向にかけて伝わり、裾前面部全体が足下に向かうにつれてすぼまる方向に傾く。
よって、水平に締め紐を締めるだけで「裾つぼまり」の状態を作りことができ、和服の美しい輪郭を容易に作ることが出来る。すなわち、和服を着用する人は、締め紐を斜め上に引っ張る必要もなく、和服を着用する人に、布余りによる異物感を感じさせることもない。
【図面の簡単な説明】
【００１９】
【図１】本発明に係る裾よけの着用前の状態を表した図である。
【図２】前身頃の布の縦糸・横糸の状態を表す拡大図である。
【図３】本発明に係る裾よけの着用途中の状態を表した図である。
【図４】本発明に係る裾よけの着用後の状態を表した図である。
【図５】本発明に係る裾よけの他の例を示す図である。
【図６】本発明に係る和装肌着の着用前の状態を表した図である。
【図７】従来の裾よけを表す図である。
【図８】従来の裾よけの着用方法を表す図である。
【図９】晒し部を有する従来の裾よけを表す図である。
【発明を実施するための形態】
【００２０】
本願発明の裾よけを図に基づいて説明する。
図１の裾よけ１は、締め紐２と、裾布３とからなる。
締め紐２は、一般的な布製の紐であり、長さは約２メートルくらいが好ましいが、人の腰に巻き付けて結ぶことができる長さであれば、他の長さでもよい。
裾布３は、その上辺が締め紐２に縫いつけられている長方形の布であり、裾よけ１を下半身に巻き付けた際に、下半身の後側を覆う後身頃３１と、体の前面および側面を覆う内側前見頃３２・外側前身頃３３とからなる。なお、裾よけ１を下半身に巻き付けた際に、体の内側に位置するのが内側前身頃３２であり、体の外側に位置するのが外側前見頃３３である。
【００２１】
後身頃３１には、絹、ポリエステル、ウールなどの肌触りがよい、しなやかな素材の布が使用されている。後身頃３１は、その下方に後裾面３１ａを備え、上方に後晒し面３１ｂを備える。後裾面３１ａは、長方形の布であり、後晒し面３１ｂも長方形の布である。後裾面３１ａの下端と、後晒し面３１ｂの上端とを縫い合わせることにより長方形の後身頃３１が形成される。
【００２２】
内側前身頃３２には、絹、ポリエステル、ウールなどの肌触りがよい、しなやかな素材の布が使用されている。内側前身頃３２は、その下方に内側裾面３２ａを備え、上方に内側晒し面３２ｂを備える。内側裾面３２ａは、台形の布であり、内側晒し面３２ｂも台形の布である。内側裾面３２ａの下端と、内側晒し面３２ｂの上端とを縫い合わせることにより長方形の内側前身頃３２が形成される。なお、図２（ａ）は内側前身頃３２と後述する力伝達部材３２ｃとの結合部分の拡大概要図であるが、内側裾面３２ａは布であるため、横糸３２ｄと縦糸３２ｄとで構成され、横糸３２ｄは力伝達部材３２ｃの傾きと平行に、縦糸３２ｅは力伝達部材３２ｃに対して垂直にすることが好ましい。これにより内側裾面３２ａが傾きやすくなるからである。
【００２３】
外側前身頃３３には、絹、ポリエステル、ウールなどの肌触りがよい、しなやかな素材の布が使用されている。外側前身頃３３は、その下方に外側裾面３３ａを備え、上方に外側晒し面３３ｂを備える。外側裾面３３ａは、台形の布であり、外側晒し面３３ｂも台形の布である。外側裾面３３ａの下端と、外側晒し面３３ｂの上端とを縫い合わせることにより長方形の内側前身頃３３が形成される。なお、外側裾面３３ａは布であるため、図２（ｂ）のように横糸３３ｄと縦糸３３ｅとで構成され、横糸３３ｄは後述する力伝達部材３３ｃの傾きと平行にし、縦糸３３ｅは力伝達部材３３ｃに対して垂直にすることが好ましい。これにより外側裾面３３ａが傾きやすくなるからである。
【００２４】
内側前身頃３２の右辺と、後身頃３１の左辺とを縫い合わせ、外側前身頃３３の左辺と、後身頃３１の右辺とを縫い合わせることにより裾布３が形成される。また、これにより内側晒し面３２ｂと、後晒し面３１ｂと、外側晒し面３３ｂとが結合し、下腹部を締め付ける船底型の晒しの役割を果たすことになる。
【００２５】
裾布３の上辺に締め紐２が縫いつけられている。また、締め紐２と裾布３とは、三角形の連結布３４（内側連結布３４ａ、外側連結布３４ｃ）とで連結されている。この連結布３４（連結布３４ａ、連結布３４ｂ）の下辺は、締め紐２と力伝達部材３２ｃ・３３ｃとを接続する接続部材であり、締め紐２を引っ張った際の力を力伝達部材３２に伝えることができる。なお、ここでは連結布３４ａと内側晒し面３２ｂとを別々の布で形成されると説明しているが、これを１枚の布で一体的に形成してもよい。また、連結布３４ｂと外側晒し面３３ｂについても同様である。また、この連結布３４が、伸縮する力は内側前身頃３２（内側裾面３２ａ）より弱い素材、すなわち内側前身頃３２（内側裾面３２ａ）より強度がある素材で形成されることが好ましい。
【００２６】
内側前身頃３２には、力伝達部材３２ｃが備えられている。以下、力伝達部材３２ｃの詳細を説明する。
まず、力伝達部材３２ｃの形成方法について説明する。
力伝達部材３２ｃは、内側裾面３２ａと内側晒し面３２ｂとの縫い合わせ部分に設けられている。すなわち、内側裾面３２ａの上端と内側晒し面３２ｂの下端とを重ね合わせて（二重にして）、二重の部分を縫い合わせることにより力伝達部材３２ｃが形成される。この力伝達部材３２ｃは、布が二重で、その部分を縫い合わせているので、強度があり、伸縮する力は内側前身頃３２（内側裾面３２ａ）より弱くなる。よって、この部材を何らかの力で引っ張った場合は、布の伸縮にその力が吸収されることがなく、確実にその力を内側前身頃３２全体に伝えることができる。
なお、外側前身頃３３に備えられてた力伝達部材３３ｃの形成方法もこれと同様である。更に、ここでは力伝達部材３２ｃを二重の布で形成する例を説明したが、形成方法はこれに限らず、力を伝達できるものであれば他の形成方法であってもよい。
【００２７】
次に、力伝達部材３２ｃの設置位置について説明する。
力伝達部材３２ｃは、内側前身頃３２の外側辺（図１（ａ）の左側の辺）から、内側前身頃３２の内側下方向に向かって設けられている。すなわち、連結布３４ａの下辺と、内側前身頃３２の外側辺とが接する位置（接続点）から、内側前身頃３２の内側方向（後身頃３１の方向）に向かって設けられている。また、力伝達部材３２は、内側前身頃３２の内側方向に向かうにつれて下がるような傾斜をつけて設けられている。なお、ここでは力伝達部材３２ｃは、内側前身頃３２の外側辺から、内側前身頃３２と後身頃３１とが接する位置まで設けられているが、これに限るものではない。例えば、内側前身頃３２と後身頃３１とが接する位置まで届かない位置で止めてもよい。
なお、外側前身頃３３に備えられてた力伝達部材３３ｃの設置位置についても、力伝達部材３２ｃの設置位置と同様であり、力伝達部材３２ｃを左右対称にすればよい。
【００２８】
次に、裾よけ１の着用方法について説明する。
図１の状態で、締め紐２の右端側を右手に持ち、締め紐２の左端側を左手に持ち、後身頃３１の上部を身体の後側（腰）にあてる。
右手を水平に、身体の前方を経由して左側に回し、図３のように締め紐２を左側に引っ張る。この際、締め紐２を左側に引っ張る力が、連結布３４ａを介して力伝達部材３２ｃに伝わる。力伝達部材３２ｃは、強度があるため、締め紐２の力を内側前身頃３２全体に伝達でき、且つ、伝達部材３２ｃは図３において右上から左下に傾いているので、内側前身頃３２全体が左方向（内側前身頃３２の下部が身体の近づき、内側前身頃３２の上部が身体から遠のく方向）に傾く。これにより身体の右側において「裾つぼまり」の状態を容易に作ることができる。
【００２９】
次に、左手を水平に、身体の前方を経由して右側に回せば、身体の左側においても「裾つぼまり」の状態を容易に作ることができる。そして、締め紐２を身体の後方から前方に回し、身体の前方で結べば、図４のように輪郭を美しくできる。また、内側晒し面３２ｂと後晒し面３１ｂと外側晒し面３３ｂとからなる船底型の晒しが、下腹部を締め付けるので下腹部の輪郭も美しいものとなる。
【００３０】
図５は、裾よけ１の前身頃３２・３３の下辺に傾斜をつけたものである。すなわち、図５において、内側前身頃３２の下辺３２ｆに、内側前身頃３２の外側（左側）から内側（後身頃側、右側）下方向に向かう傾斜をつけたものであり、さらには外側前身頃３３の下辺３３ｆに、外側前身頃３３の外側（右側）から内側（後身頃側、左側）下方向に向かう傾斜をつけたものである。このような傾斜をつけることにより、着物の輪郭をより美しくすることができる。
【００３１】
図６は、和装肌着（スリップ）４０である。この和装肌着４０は、上半身を覆う上半身部４１と下半身を覆う下半身部４２とからなる。上半身部４１は、一般的な和装肌着の上半身と同じ構成をしている。下半身部４２の構成は上記裾よけ１とほぼ同じである。なお、下半身部４２の裾前面部５１は裾よけ１の前身頃３２・前身頃３３に相当する。また、下半身部４２の裾後面部５２は、裾よけ１の後身頃３１に相当する。
【００３２】
この和装肌着４０において特徴的な構成要件は、通孔４３を備えている点である。この通孔４３は、締め紐２のやや上、和装肌着４０を着用した際の横腹付近にあたる位置に設けられている。右側の締め紐２ａを水平に腰に巻く際、締め紐２ａを和装肌着４０の内側から通孔４３に通し、締め紐２ａを和装肌着４０の外側に出す。そして、締め紐２ｂを水平に腰に巻き付け（図５（ｂ））、最後に締め紐２ａと締め紐２ｂとを結ぶ。この通孔４３は、締め紐２のやや上にあるので、締め紐２を水平に巻くことができる。
【符号の説明】
【００３３】
１  裾よけ
２  締め紐
３  裾布
３２  内側前身頃
３３  外側前身頃
３１  後身頃
３２ｃ、３３ｃ  力伝達部材
【図１】
2016098457.tif 000003
【図２】
2016098457.tif 000004
【図３】
2016098457.tif 000005
【図４】
2016098457.tif 000006
【図５】
2016098457.tif 000007
【図６】
2016098457.tif 000008
【図７】
2016098457.tif 000009
【図８】
2016098457.tif 000010
【図９】
2016098457.tif 000011